【手続補正書】
【提出日】平成16年3月12日(2004.3.12)
【手続補正１】
【補正対象書類名】明細書
【補正対象項目名】発明の名称
【補正方法】変更
【補正の内容】
【発明の名称】液晶表示素子の製法


【手続補正２】
【補正対象書類名】明細書
【補正対象項目名】特許請求の範囲
【補正方法】変更
【補正の内容】
【特許請求の範囲】
【請求項１】
上側基板および下側基板の少なくとも一方に電極を形成する工程と、
前記上側基板および下側基板間に光硬化型シール材を挟持し、該光硬化型シール材に光エネルギーを照射することにより光硬化型シール材を硬化させて上側基板および下側基板を貼り合わせる工程と、
前記上側基板および下側基板間に液晶を注入する工程と
を含む液晶表示素子の製法であって、
前記上側基板および下側基板の温度を５５℃以下に制御しながら光エネルギーを照射する液晶表示素子の製法。 
【請求項２】
上側基板および下側基板の少なくとも一方に電極を形成する工程と、
前記上側基板および下側基板間に光硬化型シール材を挟持し、該光硬化型シール材に光エネルギーを照射することにより光硬化型シール材を硬化させて上側基板および下側基板を貼り合わせる工程と、
前記上側基板および下側基板間に液晶を注入する工程と
を含む液晶表示素子の製法であって、
前記上側基板および下側基板間の温度差を５℃以下に制御しながら光エネルギーを照射する液晶表示素子の製法。 
【請求項３】
上側基板および下側基板の少なくとも一方に電極を形成する工程と、
前記上側基板および下側基板間に光硬化型シール材を挟持し、該光硬化型シール材に光エネルギーを照射することにより光硬化型シール材を硬化させて上側基板および下側基板を貼り合わせる工程と、
前記上側基板および下側基板間に液晶を注入する工程と
を含む液晶表示素子の製法であって、
前記上側基板および下側基板の温度を５５℃以下に制御し、かつ、前記上側基板および下側基板間の温度差を５℃以下に制御しながら光エネルギーを照射する液晶表示素子の製法。
【請求項４】
前記上側基板および下側基板の温度を温度検出器を用いて確認しつつ光エネルギーを照射する請求項１、２または３記載の液晶表示素子の製法。
【請求項５】
前記上側基板および下側基板のうちの少なくとも一方に冷却体を設ける請求項１、２または３記載の液晶表示素子の製法。
【請求項６】
前記上側基板および下側基板間に光硬化型シール材を挟持する際に、エアクッションを用いて前記上側基板および下側基板に圧力を加える請求項１、２または３記載の液晶表示素子の製法。
【請求項７】
前記エアクッションに冷風を送り込む請求項６記載の液晶表示素子の製法。 
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
本発明の請求項２にかかわる液晶パネルの製法は、上側基板および下側基板の少なくとも一方に電極を形成する工程と、前記上側基板および下側基板間に光硬化型シール材を挟持し、該光硬化型シール材に光エネルギーを照射することにより光硬化型シール材を硬化させて上側基板および下側基板を貼り合わせる工程と、前記上側基板および下側基板間に液晶を注入する工程とを含む液晶パネルの製法であって、前記上側基板および下側基板間の温度差を５℃以下に制御しながら光エネルギーを照射するものである。


【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
本発明の請求項３にかかわる液晶パネルの製法は、上側基板および下側基板の少なくとも一方に電極を形成する工程と、前記上側基板および下側基板間に光硬化型シール材を挟持し、該光硬化型シール材に光エネルギーを照射することにより光硬化型シール材を硬化させて上側基板および下側基板を貼り合わせる工程と、前記上側基板および下側基板間に液晶を注入する工程とを含む液晶パネルの製法であって、前記上側基板および下側基板の温度を５５℃以下に制御し、かつ、前記上側基板および下側基板間の温度差を５℃以下に制御しながら光エネルギーを照射するものである。


【手続補正１３】
【補正対象書類名】明細書
【補正対象項目名】００２４
【補正方法】変更
【補正の内容】
【００２４】
また、請求項４にかかわる液晶パネルの製法は、前記上側基板および下側基板の温度を温度検出器を用いて確認しつつ光エネルギーを照射するものである。


【手続補正１４】
【補正対象書類名】明細書
【補正対象項目名】００２５
【補正方法】変更
【補正の内容】
【００２５】
また、請求項５にかかわる液晶パネルの製法は、前記上側基板および下側基板のうちの少なくとも一方に冷却体を設けるものである。


【手続補正１５】
【補正対象書類名】明細書
【補正対象項目名】００２６
【補正方法】変更
【補正の内容】
【００２６】
また、請求項６にかかわる液晶パネルの製法は、前記上側基板および下側基板間に光硬化型シール材を挟持する際に、エアクッションを用いて前記上側基板および下側基板に圧力を加えるものである。


【手続補正１６】
【補正対象書類名】明細書
【補正対象項目名】００２７
【補正方法】変更
【補正の内容】
【００２７】
さらに、請求項７にかかわる液晶パネルの製法は、前記エアクッションに冷風を送り込むものである。


【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００８１
【補正方法】削除
【補正の内容】
【手続補正２１】
【補正対象書類名】明細書
【補正対象項目名】００８２
【補正方法】削除
【補正の内容】
【手続補正２２】
【補正対象書類名】明細書
【補正対象項目名】００８３
【補正方法】削除
【補正の内容】
【手続補正２３】
【補正対象書類名】明細書
【補正対象項目名】００８４
【補正方法】削除
【補正の内容】
【手続補正２４】
【補正対象書類名】明細書
【補正対象項目名】００８５
【補正方法】変更
【補正の内容】
【００８５】
本発明の請求項２にかかわる液晶パネルの製法は、上側基板および下側基板の少なくとも一方に電極を形成する工程と、前記上側基板および下側基板間に光硬化型シール材を挟持し、該光硬化型シール材に光エネルギーを照射することにより光硬化型シール材を硬化させて上側基板および下側基板を貼り合わせる工程と、前記上側基板および下側基板間に液晶を注入する工程とを含む液晶パネルの製法であって、前記上側基板および下側基板間の温度差を５℃以下に制御しながら光エネルギーを照射するものであるので、前記上側基板および下側基板間の熱膨張量の差を軽減できる。


【手続補正２５】
【補正対象書類名】明細書
【補正対象項目名】００８６
【補正方法】削除
【補正の内容】
【手続補正２６】
【補正対象書類名】明細書
【補正対象項目名】００８７
【補正方法】削除
【補正の内容】
【手続補正２７】
【補正対象書類名】明細書
【補正対象項目名】００８８
【補正方法】削除
【補正の内容】
【手続補正２８】
【補正対象書類名】明細書
【補正対象項目名】００８９
【補正方法】削除
【補正の内容】
【手続補正２９】
【補正対象書類名】明細書
【補正対象項目名】００９０
【補正方法】変更
【補正の内容】
【００９０】
本発明の請求項３にかかわる液晶パネルの製法は、上側基板および下側基板の少なくとも一方に電極を形成する工程と、前記上側基板および下側基板間に光硬化型シール材を挟持し、該光硬化型シール材に光エネルギーを照射することにより光硬化型シール材を硬化させて上側基板および下側基板を貼り合わせる工程と、前記上側基板および下側基板間に液晶を注入する工程とを含む液晶パネルの製法であって、前記上側基板および下側基板の温度を５５℃以下に制御し、かつ、前記上側基板および下側基板間の温度差を５℃以下に制御しながら光エネルギーを照射するものであるので、前記上側基板および下側基板間の熱膨張量の差を軽減できる。


【手続補正３０】
【補正対象書類名】明細書
【補正対象項目名】００９１
【補正方法】変更
【補正の内容】
【００９１】
また、請求項４にかかわる液晶パネルの製法は、前記上側基板および下側基板の温度を温度検出器を用いて確認しつつ光エネルギーを照射するものであるので、前記上側基板および下側基板の温度上昇に併せて、光エネルギーの絶対量をコントロールできる。


【手続補正３１】
【補正対象書類名】明細書
【補正対象項目名】００９２
【補正方法】変更
【補正の内容】
【００９２】
また、請求項５にかかわる液晶パネルの製法は、前記上側基板および下側基板のうちの少なくとも一方に冷却体を設けるものであるので、冷却体の温度をコントロールすることにより前記上側基板および下側基板間の熱膨張量の差を軽減できる。


【手続補正３２】
【補正対象書類名】明細書
【補正対象項目名】００９３
【補正方法】変更
【補正の内容】
【００９３】
また、請求項６にかかわる液晶パネルの製法は、前記上側基板および下側基板間に光硬化型シール材を挟持する際に、エアクッションを用いて前記上側基板および下側基板に圧力を加えるものであるので、エアクッション内部に送り込まれる気体を光エネルギーを吸収しないものにすることにより、容易に光エネルギーを光硬化型シール材に照射することができる。


【手続補正３３】
【補正対象書類名】明細書
【補正対象項目名】００９４
【補正方法】変更
【補正の内容】
【００９４】
さらに、請求項７にかかわる液晶パネルの製法は、前記エアクッションに冷風を送り込むものであるので、前記上側基板および下側基板間の熱膨張量の差を軽減できる。


【手続補正３４】
【補正対象書類名】明細書
【補正対象項目名】００９５
【補正方法】削除
【補正の内容】
【手続補正３５】
【補正対象書類名】明細書
【補正対象項目名】００９６
【補正方法】削除
【補正の内容】
【手続補正３６】
【補正対象書類名】明細書
【補正対象項目名】００９７
【補正方法】削除
【補正の内容】